(57)【要約】【課題】首回りに密着して薬液や髪が入り込むのを防止できる理美容用肩掛けタオルを提供する。【解決手段】理美容の際に、長方形のタオル１のいずれか一方の長辺２を首の後に当てて両肩に掛ける理美容用肩掛けタオルにおいて、長辺２の首の後に当てる部分に伸縮材により伸縮する伸縮部４が形成されている。伸縮部４は、長辺に形成されたゴム通しに通したゴム紐３により形成されている。また、ゴム紐の一端が固定され、ゴム通しのゴム通し口５から抜き出されたゴム紐に摺動可能にストッパが取り付けられ、前記ストッパが、ゴム通しに通されたゴム紐を伸縮しない状態からゴム紐を縮めてゴム通し口で保持して伸縮部を形成するストッパとすることができる。【選択図】図１
0003135283.tif 000002
【実用新案登録請求の範囲】
【請求項１】
理美容の際に、長方形のタオルのいずれか一方の長辺を首の後に当てて両肩に掛ける理美容用肩掛けタオルにおいて、
前記長辺の首の後に当てる部分に伸縮材により伸縮する伸縮部が形成されていることを特徴とする理美容用肩掛けタオル。
【請求項２】
前記伸縮部が長辺に形成されたゴム通しに通したゴム紐により形成されていることを特徴とする請求項１記載の理美容用肩掛けタオル。
【請求項３】
ゴム紐の一端が固定され、ゴム通しのゴム通し口から抜き出されたゴム紐に摺動可能にストッパが取り付けられ、前記ストッパが、ゴム通しに通されたゴム紐を伸縮しない状態からゴム紐を縮めてゴム通し口で保持して伸縮部を形成するストッパであることを特徴とする請求項２記載の理美容用肩掛けタオル。
【考案の詳細な説明】
【技術分野】
【０００１】
本考案は、髪染めやパーマをかける際に薬液の垂れ落ちによる人体、衣服、ケープの汚れを防止する理美容用肩掛けタオルに関する。
【背景技術】
【０００２】
美容院や理容院で髪染めやパーマを掛ける際、薬液が垂れ落ちて被服や身体にかからないようにするため、防水性のケープを肩に掛け、さらに落ちた薬液がケープを伝って流れないようにケープの上から長方形のタオルを肩に掛けている。
【０００３】
図４は、従来のタオルの使用状態を示し、（ａ）は背面図、（ｂ）は正面図、（ｃ）は頭部を覆った状態を示す図である。
【０００４】
図４（ａ）及び（ｂ）において、長方形のタオル１の長辺を首の後に当て、肩に掛けた後、タオルの長辺のそれぞれの先端を胸元で合わせ、クリップ６でとめて肩からずり落ちないようにいる。
【０００５】
その後、薬液を定着させるため、頭部全体にフィルム状のシートで覆い、定着を促進させる。その時、図４（ｃ）に示すように、タオル１をフィルム状のシートの上からターバンのように覆って保温している。
【０００６】
薬液の垂れ落ちを防止する液だれ防止部材として、特許文献１には、ゴム編み布地等からなる弾性素材と、ニットなどの編み布地からなる液だれを吸収する素材と、ターバン状のセッティングがズレ落ちないように防止するネット状の編み布地からなるズレ落ち防止素材とを組み合わせて縫製した中心部が穴開き状の液だれ防止部材が開示されている。
【特許文献１】特開２００６−２３０９６７号公報
【考案の開示】
【考案が解決しようとする課題】
【０００７】
前述の長方形のタオルでは、図４に示すように、肩掛けタオルが肩から滑り落ちないように肩掛けタオルの先を胸元に寄せてクリップ等で止めた場合、首周りに隙間が開いたり横シワができたり、さらにはずれ上がったりするため、薬液や薬液のついた髪が隙間に入り込んだりする。
【０００８】
また、髪染め剤を塗布した後、定着をより促進を早めるため、一定時間フィルム状のシートを被せ、肩に掛けていたタオルを使用して頭部全体を覆うが、タオルが緩んで滑りやすいという欠点がある。
【０００９】
また、前記特許文献１に記載された液だれ防止部材では、弾性素材、編み布地からなる液ダレを吸収する素材、ネット状の編み布地を組み合わせ、頭を通す穴を形成する必要があるため、製造工程が複雑になって肩掛けタオルに比べて製造コストが高くなり、また、垂れた薬液がネットの隙間からケープに落ちるおそれもある。
【００１０】
そこで、本考案は、首回りに密着して薬液や髪が入り込むのを防止できる理美容用肩掛けタオルを提供するものである。
【課題を解決するための手段】
【００１１】
本考案の理美容用肩掛けタオルは、理美容の際に、長方形のタオルのいずれか一方の長辺を首の後に当てて両肩に掛ける理美容用肩掛けタオルにおいて、前記長辺の首の後に当てる部分に伸縮材により伸縮する伸縮部が形成されていることを特徴とする。
【００１２】
前記伸縮部は、長辺に形成されたゴム通しに通したゴム紐により形成されていることを特徴とする。また、ゴム紐の一端が固定され、ゴム通しのゴム通し口から抜き出されたゴム紐に摺動可能にストッパが取り付けられ、前記ストッパが、ゴム通しに通されたゴム紐を伸縮しない状態からゴム紐を縮めてゴム通し口で保持して伸縮部を形成するストッパとすることができる。
【考案の効果】
【００１３】
本考案の理美容用肩掛けタオルを肩に掛けた際、首の周囲の部分に長辺の伸縮部が当たって密着するので、タオルと首回りとの間に隙間が開いたり、ずれ上がったりすることがない。また、長辺の伸縮部の弾性によりタオルの端を胸元で確実に合わせてケープに密着させることができる。
【００１４】
本考案の理美容用肩掛けタオルを頭部に巻いて使用する場合、ゴムの伸縮部により襟足の髪の生え際から髪がすっぽり入り、さらに、頭に巻いた際に伸縮部の収縮力から適度に締め付けられてタオルがずり落ちにくくなる。
【００１５】
また、ストッパにより、ゴム通しのゴムを伸縮させることにより、収納時には伸縮部を伸縮しない状態にしてきれいに畳みやすくすることができる。
【考案を実施するための最良の形態】
【００１６】
本考案の実施例について図面を参照しながら説明する。
【実施例１】
【００１７】
図１は本考案による理美容肩掛けタオルの一実施例を示す図である。図２は本考案の理美容肩掛けタオルの使用状態を示し、（ａ）は背面図、（ｂ）は正面図、（ｃ）は頭部を覆った状態を示す図である。
【００１８】
図１に示すように、長方形のタオル１のいずれか一方の長辺２に沿ってゴム紐３を取り付けて長辺２が伸縮できる伸縮部４を設ける。ゴム紐３の取り付けは、図１（ａ）に示すように、長辺２にそって表面にゴム紐３を縫い付けたり、図１（ｂ）に示すように、ゴム紐３を長辺に沿って設けた細長いゴム通し５に通して収縮させて取り付けたり、あるいはゴム編みにしてもよい。
【００１９】
伸縮部４の長さは、長辺の中心から両側に伸縮できる長さであればよく、縮んだ状態から延ばした状態で長辺が後の首回りに密着する長さとする。好ましくは、首回りの半分に当たるようにすることが望ましい。
【００２０】
本実施例では、タオルの長辺を伸ばした状態で、タオルの長辺の中心から左右にタオルの約半分が縮むように取り付けている。例えば、長辺が約８０ｃｍの場合、タオルの長辺の中心から左右にそれぞれ約２０ｃｍの長さにゴム紐を取り付けて縮むように取り付けている。
【００２１】
本実施例の理美容肩掛けタオルの使用状態を示す図２において、タオル１を、その長辺２の伸縮部４を首の後に当てて肩に掛けた後、タオル１の長辺２のそれぞれの先端を引いて合わせ、クリップ６でとめる。こうして、タオル１の長辺２の伸縮部４を首の後に当てて引くことにより、伸縮部４の伸縮作用により長辺２が首回りに密着して隙間が形成されないので、薬液や髪がタオル１と首の間に入り込むのを防止することができる。
【００２２】
薬液処理後に、頭部全体にフィルム状のシートで覆い、定着を促進させる際には、図２（ｃ）に示すように、タオル１をフィルム状のシートの上からターバンのように覆い保温する。その際、えり足部分にタオル１の長辺２の伸縮部４を当て、タオル１を上に上げてターバンのように巻くことにより、伸縮部４により袋状になり後ろの髪がすっぽり入るので、安定性がよい。
【実施例２】
【００２３】
図３は本考案による理美容用肩掛けタオルの別実施例を示す図で、（ａ）は長辺を伸ばした状態、（ｂ）はゴム紐の長さを調整した状態を示す図である。
【００２４】
実施例１に示す理美容用肩掛けタオルでは、ゴム紐を取り付けた長辺２が縮んだ状態であるため、二つの長辺の長さが揃った長方形になっていないので、折り畳んできれいに収納できない。
【００２５】
そこで、本実施例では、使用しない時には二つの長辺２の長さが揃った長方形になり、使用時には伸縮部を形成することができる理美容用肩掛けタオルである。
【００２６】
図３において、一端を固定したゴム紐３が長辺２に沿って設けた細長いゴム通し５に通されて他端がゴム通し口８から取り出され、取り出された部分のゴム紐３が摺動可能なストッパ７の穴に通されている。
【００２７】
タオル１を使用しないで折り畳む際には、ストッパ７をゴム通し口側から離れる方向に移動させてゴム紐３を緩めてゴム紐が伸縮しない状態にすることにより、長辺が縮まないので、二つの長辺２の長さが揃ってタオルを長方形にすることにより、きれいに折り畳むことができる。
【００２８】
タオルを使用する際には、ストッパ７をゴム通し口８に移動させ、ゴム紐３を縮むように引くことにより伸縮部４を形成する。
【図面の簡単な説明】
【００２９】
【図１】本考案による理美容用肩掛けタオルの一実施例を示す図である。
【図２】本考案の理美容用肩掛けタオルの使用状態を示し、（ａ）は背面図、（ｂ）は正面図、（ｃ）は頭部を覆った状態を示す図である。
【図３】本考案による理美容用肩掛けタオルの別実施例を示す図である。
【図４】従来のタオルの使用状態を示し、（ａ）は背面図、（ｂ）は正面図、（ｃ）は頭部を覆った状態を示す図である。
【符号の説明】
【００３０】
１：タオル
２：長辺
３：ゴム紐
４：伸縮部
５：ゴム通し
６：クリップ
７：ストッパ
８：ゴム通し口
【図１】
0003135283.tif 000003
【図２】
0003135283.tif 000004
【図３】
0003135283.tif 000005
【図４】
0003135283.tif 000006